(57)【要約】【課題】ケーシング内部に形成される旋回気流に乱れが発生することを極力押えることができ、しかも構成が非常に簡単であり、そのために故障が少なく、コストも非常に安い気流分級装置を提供する。【解決手段】旋回気流Ａが形成されるケーシング３の内部領域の中心線Ｘ０であって旋回気流Ａの中心となる中心線Ｘ０に沿って延びておりケーシング３の外部と内部とにわたって設けられており自身の軸線Ｘ０を中心として回転可能である中空の回転軸１８と、回転軸１８のケーシング内部側の開口に間隔をおいて対向している分散板２２と、回転軸１８の外周面上に設けられた分級羽根２９と、ケーシング３の外部に設けられており回転軸１８を回転させるモータ２４とを有し、分級される材料は回転軸１８のケーシング外部側の開口から回転軸１８の内部へ導入され、その材料は回転軸１８のケーシング内部側の開口から分散板２２上へ供給される気流分級装置。【選択図】図１
2010069393.tif 000002
【特許請求の範囲】
【請求項１】
中空のケーシングと、
該ケーシング内に設けられており該ケーシング内で旋回気流となる気流を導入する気流導入口と、
前記ケーシングの内部領域の中心線であって前記旋回気流の中心となる中心線に沿って又は該中心線に対して平行に延びており、前記ケーシングの外部と内部とにわたって設けられており、自身の軸線を中心として回転可能である中空の回転軸と、
前記回転軸における前記ケーシングの内部側の開口端部分に設けられており当該開口に間隔をおいて対向している分散板と、
前記気流の流れる方向に関して前記分散板の下流側に設けられており前記回転軸の外周面上に設けられており前記回転軸の中心線に対して直角方向に延びる分級羽根と、
前記気流の流れる方向に関して前記分級羽根の下流側に設けられた気流排出口と、
前記ケーシングの外部に設けられており前記回転軸を回転させる回転軸駆動手段と、を有し、
分級される材料は前記回転軸における前記ケーシングの外部側の開口から当該回転軸の内部へ導入され、その材料は前記回転軸における前記ケーシングの内部側の開口から前記分散板上へ供給される
ことを特徴とする気流分級装置。
【請求項２】
請求項１記載の気流分級装置において、前記回転軸の回転方向は前記旋回気流の旋回方向と同じ方向であることを特徴とする気流分級装置。
【請求項３】
請求項１又は請求項２記載の気流分級装置において、
前記分級羽根は前記回転軸の回りに設けられた複数の羽根部材を有し、
該複数の羽根部材は前記回転軸を中心とする円周方向で互いに間隔を空けて設けられており、
前記複数の羽根部材のそれぞれは前記回転軸の中心軸線と平行な軸線を中心として回転自在であり、
各羽根部材は前記回転軸の中心軸線に対して直角方向へ延在している
ことを特徴とする気流分級装置。
【請求項４】
請求項１から請求項３記載の気流分級装置において、
前記ケーシングは鉛直方向に延びる断面円形状の筒形状を有し、
当該ケーシングの下部に粗粒排出口が設けられ、
該粗粒排出口の上に前記気流導入口が設けられ、
該気流導入口のうえに前記分散板が設けられ、
該分散板の上に前記分級羽根が設けられ、
前記分級羽根の上に前記気流排出口が設けられ、該気流排出口が微紛排出口となる
ことを特徴とする気流分級装置。
【請求項５】
請求項１から請求項４のいずれか１つに記載の気流分級装置において、
前記回転軸における前記ケーシングの外部側の開口に連通してホッパが設けられ、
該ホッパは前記開口側が狭く該開口から離れるに従って断面積が大きくなる錐形状であり、
前記ホッパは前記回転軸の回転に拘わらず不動状態に保持される
ことを特徴とする気流分級装置。
【請求項６】
請求項１から請求項５のいずれか１つに記載の気流分級装置において、
前記気流導入口を通して前記ケーシングの内部へ高温の気流を供給する高温気流供給手段を有することを特徴とする気流分級装置。
【発明の詳細な説明】
【技術分野】
【０００１】
本発明は、粒径の異なる物質を含んだ原材料を空気流等といった気流によって分級する気流分級装置に関する。
【背景技術】
【０００２】
例えば、非特許文献１によれば、図１１に示すようなウルトラセパレータと呼ばれる気流分級装置が開示されている。この気流分級装置１０１では、円筒形状のケーシング１０２の内部に下から順に、分散機セル１０３、分散室セル１０４、分級機セル１０５、分級機中間セル１０６、分級機トップセル１０７の各室が設けられる。そして、分散機セル１０３内には分散板１０８及びそれの駆動機構１０９が設けられ、分散室セル１０４内には原料投入シュート１１０が設けられ、分級機セル１０５内には分級羽根を駆動するための駆動機構１１１が設けられ、分級機中間セル１０６内には分級羽根１１２が設けられている。この気流分級装置１０１と同様の構成を有した気流分級装置は特許文献１にも開示されている。
【０００３】
この従来の気流分級装置１０１において、分散板１０８、分級羽根１１２、及び原料投入シュート１１０は分級装置としての機能を奏するためにケーシング１０２の内部に必ず設ける必要がある。しかしながら、この気流分級装置１０１においては、それらを駆動するための駆動機構１０９，１１１もケーシング１０２の内部に設けられていたので、ケーシング１０２の内部に形成される気流に乱れが発生し、原材料の分級効率が悪かった。また、原料投入シュート１１０がケーシング１０２の中間部分の外部から内部へ斜めに挿入される形状であるので、気流がさらに一層乱されて、原材料の分級効率がさらに悪くなっていた。
【０００４】
また、特許文献２によれば、原材料の投入管２３０を鉛直方向に設け、その周囲に回転管２４０を設け、その回転管２４０の外側に分散板２５０及び分級羽根２６０ａを設けて成る気流分級装置が開示されている。この気流分級装置によれば、分散板２５０及び分級羽根２６０ａを回転駆動するための駆動機構がケーシングの外部に設けられ、さらに原料投入管２３０がケーシングの中心位置、すなわち気流の流れを邪魔しない位置に設けられているため、ケーシング内に比較的安定した旋回気流を形成できる。
【０００５】
また、特許文献３によれば、鉛直方向に延びた中実の回転軸４４によって分散板４７を支持し、その回転軸４４の回りに原料供給シュート３７を設け、その原料供給シュート３７の周囲に分級羽根５６を設けて成る気流分級装置が開示されている。この気流分級装置によれば、分散板４７及び分級羽根５６を回転駆動するための駆動機構がケーシングの外部に設けられ、さらに原料供給シュート３７がケーシングの中心位置、すなわち気流の流れを邪魔しない位置に設けられているため、ケーシング内に比較的安定した旋回気流を形成できる。
【０００６】
【特許文献１】特公昭４４−３２５５４号公報（第１〜２頁、添付図）
【特許文献２】特開平０５−２８５４１２号公報（第３〜４頁、図１）
【特許文献３】特開２００２−１１９９２０号公報（第４頁〜８頁、図１）
【非特許文献１】分級装置技術便覧、第１版第１刷、２７２頁〜２７５頁、昭和５３年５月１５日発行、日本粉体工業協会編、株式会社産業技術センター発行、
【発明の開示】
【発明が解決しようとする課題】
【０００７】
特許文献２及び特許文献３に開示された気流分級装置においては、分散板と分級羽根とを駆動するための機構と、原料を供給するための構造とが複雑に絡み合っており、そのためこの部分において気流に乱れが生じ易いという問題があった。また、構造が複雑なために部品コスト及び製造コストが非常に高くなるという問題があった。また、構造が複雑なために回転時のバランスがとり難く、回転ムラ及び回転時の振動の発生による分級効率の低下及び機器の破損等のおそれがあった。
【０００８】
本発明は、上記の問題点に鑑みて成されたものであって、ケーシング内部に形成される旋回気流に乱れが発生することを極力押えることができて、それ故に高い分級効率を得ることができる気流分級装置を提供することを目的とする。また、構成が非常に簡単であり、そのために故障が少なく、コストも非常に安い気流分級装置を提供することを目的とする。
【課題を解決するための手段】
【０００９】
本発明は上記の目的を達成するためになされたものであって、中空のケーシングと、該ケーシング内に設けられており該ケーシング内で旋回気流となる気流を導入する気流導入口と、前記ケーシングの内部領域の中心線であって前記旋回気流の中心となる中心線に沿って又は該中心線に対して平行に延びており前記ケーシングの外部と内部とにわたって設けられており自身の軸線を中心として回転可能である中空の回転軸と、前記回転軸における前記ケーシングの内部側の開口端部分に設けられており当該開口に間隔をおいて対向している分散板と、前記気流の流れる方向に関して前記分散板の下流側に設けられており前記回転軸の外周面上に設けられており前記回転軸の中心線に対して直角方向に延びる分級羽根と、前記気流の流れる方向に関して前記分級羽根の下流側に設けられた気流排出口と、前記ケーシングの外部に設けられており前記回転軸を回転させる回転軸駆動手段とを有し、分級される材料は前記回転軸における前記ケーシングの外部側の開口から当該回転軸の内部へ導入され、その材料は前記回転軸における前記ケーシングの内部側の開口から前記分散板上へ供給されることを特徴とする。
【００１０】
本発明の気流分級装置によれば、回転軸が、材料をケーシング内へ導入するための導入管として機能すると共に、分散板及び分級羽根を回転させるための駆動軸として機能している。そして、回転軸を駆動するための回転軸駆動手段はケーシングの外部に設けられている。これらの構成要件の組合せの結果、ケーシングの内部空間は不要な構成要素が存在しないきれいな単一の空間になっており、そのため、きれいで安定した旋回気流をケーシングの内部に形成することができる。そのため、分級効率（すなわち、１回の分級作業において投入原材料から得られる所望粒径の製品材料の割合）を高めることができる。
【００１１】
さらに、本発明の気流分級装置では、回転軸が分散板及び分級羽根の駆動軸、並びに原材料の投入管として兼用されている。このため、回転軸の周りの構造が非常に簡単になっている。このため、当該部分において故障が発生する確率が大きく低減される。また、構造が簡単であるが故に、旋回気流が乱れることなくきれいな状態に維持され、分級効率を高く維持することができる。
【００１２】
ところで、材料に含まれる微粉を水で洗浄する水洗式又は湿式の分級装置が既に知られている。この水洗式の分級装置では、洗浄、乾燥、排水の各処理を行わなければならないので、それらのための処理装置が必要となり、設備コスト及びランニングコストが非常に高くなるという欠点を有していた。これに対し、本発明の気流分級装置は構成が非常に簡単であり、乾式であって水洗に関する処理は全く不要であるので、水洗式の分級装置に比べてコストを大幅に低減できる。
【００１３】
また、本発明の気流分級装置は、特開平５−２８５４１２号公報及び特開２００２−１１９９２０号公報に開示された気流分級装置に比べて、原材料投入管の周辺の構造及び分散板等の駆動機構の周辺の構造が格段に簡単に構成されており、コストを大幅に低減でき、しかも故障の発生を大幅に低減できる。
【００１４】
次に、本発明に係る気流分級装置において、回転軸の回転方向は前記旋回気流の旋回方向と同じ方向であることが望ましい。回転軸を回転させることにより、回転軸によってケーシング内へ導入される材料に前もって遠心力を付与して適度の分散を付与できる。そして、回転軸の回転方向を旋回気流の旋回方向と同じに設定することにより、ケーシングの内部へ放出された材料を滑らかに旋回気流に乗せることができる。
【００１５】
次に、本発明に係る気流分級装置において、前記分級羽根は前記回転軸の回りに設けられた複数の羽根部材を有し、該複数の羽根部材は前記回転軸を中心とする円周方向で互いに間隔を空けて設けられており、前記複数の羽根部材のそれぞれは前記回転軸の中心軸線と平行な軸線を中心として回転自在であり、各羽根部材は前記回転軸の中心軸線に対して直角方向へ延在していることが望ましい。
【００１６】
この構成の分級羽根は、特許文献４（特開平０５−２８５４１２号公報）及び特許文献５（特開２００２−１１９９２０号公報）に開示された分級羽根に比べて、構造が簡単であり、しかも小型である。そのため、ケーシング内部の旋回気流に乱れを生じさせる可能性を大きく低減できる。
【００１７】
次に、本発明に係る気流分級装置において、前記ケーシングは鉛直方向に延びる断面円形状の筒形状を有し、当該ケーシングの下部に粗粒排出口が設けられ、該粗粒排出口の上に前記気流導入口が設けられ、該気流導入口のうえに前記分散板が設けられ、該分散板の上に前記分級羽根が設けられ、前記分級羽根の上に前記気流排出口が設けられ、該気流排出口が微紛排出口となることが望ましい。この構成によれば、本発明に係る気流分級装置を実用的に実現できる。
【００１８】
次に、本発明に係る気流分級装置においては、前記回転軸における前記ケーシングの外部側の開口に連通してホッパが設けられ、該ホッパは前記開口側が狭く該開口から離れるに従って断面積が大きくなる錐形状であり、前記ホッパは前記回転軸の回転に拘わらず不動状態に保持されることが望ましい。この構成により、回転軸への材料への投入を容易に且つ安定して行うことができるようになる。
【００１９】
次に、本発明に係る気流分級装置は、前記気流導入口を通して前記ケーシングの内部へ高温の気流を供給する高温気流供給手段をさらに有することが望ましい。この構成によれば、ケーシング内に形成される旋回気流を高温の気流とすることができる。旋回気流が高温になれば、材料に含まれていた微紛を分級処理の最中に乾燥させることができ、微紛の水分含有量を低減できる。このことは、例えば、タンカル、すなわちフィラーのように水分含有量が低いことが要求される微紛製品を簡単且つ直接的に作製することができるということであり、実用的に非常に有効である。
【発明の効果】
【００２０】
本発明に係る気流分級装置によれば、回転軸が、材料をケーシング内へ導入するための導入管として機能すると共に、分散板及び分級羽根を回転させるための駆動軸として機能している。そしてさらに、回転軸を駆動するための回転軸駆動手段はケーシングの外部に設けられている。これらの構成要件の組合せの結果、ケーシングの内部空間は不要な構成要素が存在しないきれいな単一の空間になっており、そのため、きれいで安定した旋回気流をケーシングの内部に形成することができる。そのため、分級効率を高めることができる。
【００２１】
さらに、本発明の気流分級装置では、回転軸が分散板及び分級羽根の駆動軸、並びに原材料の投入管として兼用されている。このため、回転軸の周りの構造が非常に簡単になっている。このため、当該部分において故障が発生する確率が大きく低減される。また、構造が簡単であるが故に、旋回気流が乱れることなくきれいな状態に維持され、分級効率を高く維持することができる。
【００２２】
さらに、本発明の気流分級装置は構成が非常に簡単であり、乾式であって水洗に関する処理は全く不要であるので、水洗式の分級装置に比べてコストを大幅に低減できる。
【００２３】
さらに、本発明の気流分級装置は、特開平５−２８５４１２号公報及び特開２００２−１１９９２０号公報に開示された気流分級装置に比べて、原材料投入管の周辺の構造及び分散板等の駆動機構の周辺の構造が格段に簡単に構成されており、コストを大幅に低減でき、しかも故障の発生を大幅に低減できる。
【発明を実施するための最良の形態】
【００２４】
（第１実施形態）
以下、本発明に係る気流分級装置を実施形態に基づいて説明する。なお、本発明がこの実施形態に限定されないことはもちろんである。また、これ以降の説明では図面を参照するが、その図面では特徴的な部分を分かり易く示すために実際のものとは異なった比率で構成要素を示す場合がある。
【００２５】
図１は本発明に係る気流分級装置の一実施形態を示している。図２はその気流分級装置が用いられる気流分級システムの全体の側面構造を示している。図３はその気流分級システムの平面構造を示している。
【００２６】
図１において、この気流分級装置１は、機台２によって支持されて鉛直方向へ延びているケーシング３を有している。ケーシング３は断面径の異なる鋼板製で円筒形状又は円錐形状の筒部材を接合することによって形成されている。ケーシング３は中空、すなわちその内部が空間になっている。内部空間の断面は円形状であり、その内部空間の中心軸線Ｘ０は鉛直方向に延びている。なお、今後説明される各種部品の材質は、特に限定されない限り、鋼材である。
【００２７】
ケーシング３の下端は径の小さい開口４となっている。この開口４は原材料に含まれる粗粉、例えば粒径が０．１５ｍｍ以上の粉体を排出するための粗粉排出口として機能する。粗粉排出口４の下方位置には粉体搬送用の搬送手段としてのベルトコンベヤ７が設けられている。
【００２８】
ケーシング３の頂端は鋼製の天板５によって覆われている。天板５の適所、図１では奥側において破線で示す所に開口６が設けられている。この開口６は、ケーシング３内の後述する旋回気流が排気される開口であって、原材料に含まれる微粉、例えば０．１５ｍｍ以下の粉体を排出するための微粉排出口として機能する。微粉排出口６には粉体搬送管８が接合されている。
【００２９】
ケーシング３において粗粉排出口４の上に隣接する部分は逆円錐形状の粉体回収部９となっている。この粉体回収部９の上に隣接する部分には、リング状、すなわち輪状の開口１１が設けられている。この開口１１はケーシング３の内部へ気流を導入するための気流導入口として機能する。リング状開口１１の周囲には、図３に示すように、リング状の気流導入管１２が設けられており、その気流導入管１２とケーシング３の内部空間との間に、図５に示すように、複数の気流案内羽根１３が設けられている。また、気流導入管１２の適所に気流搬送管１４が接合されている。
【００３０】
気流搬送管１４の適所、本実施形態では気流搬送管１４の端部、には気流の発生源であるメインファン１６が設けられている。メインファン１６は所定の速度で回転するファン、すなわち羽根を有しており、このファンの回転により気流を発生する。この気流は気流搬送管１４を通って気流導入管１２へ搬送され、さらに図１及び図５の気流案内羽根１３によってケーシング３の内部へ導入される。メインファン１６の気流出口近傍には流量調整器としてのダンパ２０ａが設けられている。
【００３１】
気流の流れる方向に関してメインファン１６の下流側の位置には、ファンを備えた集塵機４６が設けられている。このファンの吸気により塵等が気流搬送管１４から吸引され、そして集塵機４６によりその塵等が回収される。このファンの吸気作用により、ケーシング３の内部は負圧、すなわち外部よりも低い気圧に設定されている。符号２０ｂは、気流搬送管１４と集塵機４６とを結ぶ気流搬送管内に設けられたダンパを示している。
【００３２】
気流導入管１２及び気流案内羽根１３の作用により、ケーシング３の内部へ導入された気流は、図１において、旋回気流、すなわち渦流気流、すなわち螺旋状気流となって、符合Ａで模式的に示すように、鉛直方向へ延びるケーシング３の内部を上昇する。なお、符号Ａは旋回気流の流れを理解の手助けとなるように模式的に示すものであり、必ずしも実際の気流を正確に示すものではない。この旋回気流の中心はケーシング３の中心軸線Ｘ０と一致している。ケーシング３の内部の旋回気流は天板５に設けた開口６を通して粉体搬送管８へ排出される。
【００３３】
天板５の外部表面には上方へ向かって延びるブラケット１７が設けられ、このブラケット１７によって回転軸１８が支持されている。回転軸１８は軸受１９によって自身の軸線を中心として回転、いわゆる軸回転できるようになっている。回転軸１８の回転軸線は、ケーシング３の内部空間の中心軸線Ｘ０、すなわち旋回気流の中心線と一致している。以下の説明では、ケーシング３の内部空間の中心軸線、旋回気流の中心線、及び回転軸１８の回転軸線のそれぞれを共通した符号Ｘ０で示すことがある。なお、ケーシング３の内部空間の中心軸線、旋回気流の中心線、及び回転軸１８の回転軸線のそれぞれは一致しない場合もある。
【００３４】
回転軸１８は中空の円筒形状であり、その下端部に複数、例えば４個のリブ２１（手前側の１個のリブの図示は省略されている）によって円板形状の分散板２２が回転軸１８と一体になるように固定されている。また、回転軸１８の上端部には、分級されるべき原材料を受けて溜めるためのホッパ２３が設けられている。ホッパ２３は位置不動及び回転不能の状態に固定されている。ホッパ２３と回転軸１８は空間的に連通しており、ホッパ２３は回転軸１８の回転を妨げないようになっている。例えば、ホッパ２３の先端と回転軸１８の先端は、わずかの隙間をおいて互いに対向している。もちろんこの隙間は、原材料が漏れ出ない程度に小さい隙間である。
【００３５】
ケーシング３の内部空間内に存在する回転軸１８の外周面上に分級羽根２９が取り付けられている。図６は分級羽根２９の平面構造を示しており、図７は分級羽根２９の側面断面構造を示している。これらの図に示すように、回転軸１８の外周面上に円板状の２枚の支持部材３１ａ，３１ｂが中心軸線Ｘ０に沿って互いに間隔を空けて位置不動に固定されている。この固定方法は、溶接、ボルト固定、その他どのような方法であっても良い。そして、それらの支持部材３１ａ，３１ｂの外周縁に複数の羽根部材３２が軸線Ｘ１を中心として回転自在に支持部材３１ａ，３１ｂに取り付けられている。これらの軸線Ｘ１は回転軸１８の中心軸線Ｘ０と平行に設定されている。個々の羽根部材３２は概ね長方形状の板として形成されており、外周先端が細く尖っている。
【００３６】
回転軸１８が静止しているとき、各羽根部材３２は軸線Ｘ１を中心として自由に旋回できる状態にあり、個々が無秩序の方向を向くことができる。回転軸１８が回転しているときには、各羽根部材３２は図６に示すように遠心力によって放射状に一定の間隔で並んだ状態となる。図１において、ケーシング３内の旋回気流は各羽根部材３２の間を通過して排出用開口６から排出される。気流中に原材料が含まれる場合、粒径の小さい微粉は羽根部材３２間を通過して微粉用開口６から排出される。一方、粒径の大きい粗粉は羽根部材３２に叩かれて落下して粗粉用開口４へ向かう。
【００３７】
ブラケット１７には回転軸１８を回転させるための駆動源である電動モータ２４が固定されている。モータ２４の出力軸にプーリ２６が取り付けられている。そのプーリ２６に対向した回転軸１８の外周面上にプーリ２７が取り付けられている。そして、それらのプーリ２６，２７の間にベルト２８が掛け渡されている。モータ２４を作動させてその出力軸を回転させると、ベルト２８を介して回転が伝えられ、回転軸１８が自身の中心軸線Ｘ０を中心として回転する。
【００３８】
ケーシング３において分散板２２よりも下方部分の内部空間（旋回気流が形成される空間）の直径は、約１４１０ｍｍである。そして、回転軸１８の内径は約１３０ｍｍであり、その外形は約１６５ｍｍである。つまり、回転軸１８の内径はケーシング内部空間の直径に対して約９．２％程度である。発明者の実験によれば、回転軸１８の内径はケーシング内部空間の内径に対して９％から１０％程度であることが好ましいことが分かった。
【００３９】
以下、上記構成より成る気流分級装置１に関してその動作を説明する。
図２においてメインファン１６が作動すると、気流が気流搬送管１４及び気流導入管１２を通してケーシング３の内部へ導入され、図１においてケーシング３の内部の気流導入用開口１１からケーシング３の頂部にある気流排出用開口６の間に旋回気流、渦状気流、又は螺旋状気流が形成される。
【００４０】
上記のような旋回気流の形成処理と同時に、モータ２４を作動させて回転軸１８を回転させる。この回転により、分散板２２及び分級羽根２９が回転軸１８と一体になって回転する。回転軸１８の回転方向、すなわち分散板２２及び分級羽根２９の回転方向は、ケーシング３内に形成される旋回気流の旋回方向と同じ方向に設定される。これにより、分散板２２によって分散される原材料が旋回上昇気流によって必要以上に乱されることを防止でき、安定した分級処理を実行できる。
【００４１】
以上のようにケーシング３内に軸線Ｘ０を中心として旋回気流が形成され、さらに回転軸１８、分散板２２及び分級羽根２９が軸線Ｘ０を中心として回転しているとき、ホッパ２３内に原材料、例えば粉砕によって得られた石灰石が投入、すなわち供給される。投入された石灰石原材料の中には、粒径が０．１５ｍｍ以下である微粉と、粒径が０．１５ｍｍ以上である粗粉とが含まれる。本実施形態では、粗粉を製品である砕砂として回収するものとする。
【００４２】
ホッパ２３へ投入された原材料は回転軸１８の内部を通って分散板２２上へ落下する。落下した原材料は遠心力によって分散板２２から水平方向へ放出され、ケーシング３内に分散される。分散された原材料のうち粒径が大きくて重い粉体は旋回気流に乗ることなく落下して、ケーシング３の下部の粗粉回収用開口４から外部へ、製品である砕砂として排出される。一方、原材料のうち粒径が小さくて軽い粉体は旋回上昇気流に乗って上昇し、分級羽根２９を通過して開口６から外部へ排出される。
【００４３】
旋回上昇気流に乗った原材料の中には微分に混じって粗粉も存在する。この粗粉は、旋回気流に乗って分級羽根２９まで運ばれたとき、分級羽根２９を構成する羽根部材３２に叩かれて落下し、ケーシング３の下部の粗粉回収用開口４から製品砕砂として回収される。
【００４４】
本実施形態では、粗粉と微粉の境界粒径を０．１５ｍｍに設定したが、これは分級羽根２９の回転速度、従って回転軸１８の回転速度を変化させることによって、変化させることができる。例えば、分級羽根２９の回転速度を早くすると境界粒径を小さくすること、つまり、微粉用開口６から排出される微粉の粒径を小さくすることができる。
【００４５】
本実施形態に係る気流分級装置１においては、回転軸１８が、原材料Ｍをケーシング３内へ導入するための導入管として機能すると共に、分散板２２及び分級羽根２９を回転させるための駆動軸として機能している。そして、回転軸１８の駆動源であるモータ２４はケーシング３の外部に設置されている。これらの構成の結果、ケーシング３の内部空間は不要な構成要素が存在しないきれいな単一の空間になっており、そのため、きれいで安定した旋回上昇気流をケーシング３の内部に形成することができる。そのため、分級効率を高めることができる。つまり、１回の分級処理によって、所望の粒径の製品砕砂を原材料から多量に獲得できる。
【００４６】
さらに、本実施形態では、回転軸１８が、分散板２２及び分級羽根２９の駆動軸、並びに原材料の投入管として兼用されている。このため、回転軸１８の周りの構造が非常に簡単になっている。このため、当該部分において故障が発生する確率が大きく低減される。また、構造が簡単であるが故に旋回気流が乱れることなくきれいな状態に維持され、分級効率を高く維持することができる。さらに、回転軸１８に回転ムラや振動が発生することがなく、それ故、安定した分級処理を行うことができ、機器の損傷を防ぐこともできる。
【００４７】
さらに、原材料投入管として機能する回転軸１８は旋回気流の旋回方向と同一方向に回転するので、原材料は分散板２２上へ落下する前に、予め回転軸１９によって予備的な分散処理を受けることになり、その理由からも分級効率を高めることができる。
【００４８】
ところで、原材料に含まれる微粉を水で洗浄する水洗式又は湿式の分級装置が既に知られている。この水洗式の分級装置では、洗浄、乾燥、排水の各処理を行わなければならないので、それらのための処理装置が必要となり、設備コスト及びランニングコストが非常に高くなるという欠点を有していた。これに対し、本実施形態の気流分級装置は構成が非常に簡単であり、乾式であって水洗に関する処理は全く不要であるので、水洗式の分級装置に比べてコストを大幅に低減できる。
【００４９】
また、本実施形態の気流分級装置は、特開平５−２８５４１２号公報及び特開２００２−１１９９２０号公報に開示された気流分級装置に比べて、原材料投入管及び分散板等の駆動機構の周辺の構造が格段に簡単に構成されており、コストを大幅に低減でき、しかも故障の発生を大幅に低減できる。
【００５０】
（気流分級装置の使用例）
次に、図１の気流分級装置１の１つの使用例である気流分級システムを図２から図４を用いて説明する。図２は気流分級システムの側面図であり、図３はその気流分級システムの平面図であり、図４はその気流分級システムのブロック図である。
【００５１】
気流分級システム４１は、図１に示した気流分級装置１と、この気流分級装置１に原材料を供給する原料給鉱ベルトコンベヤ４２と、気流分級装置１のケーシング３の頂部から延びている微粉体搬送管８に接続されたサイクロン４３と、該サイクロン４３の下端の粉体排出口の下方位置に設けられたダストベルトコンベヤ４４と、サイクロン４３の頂部とメインファン１６とを連結する連結管４５とを有する。図２において、原料給鉱ベルトコンベヤ４２の搬送開始端部に原料ホッパ４７が設けられており、このホッパ４７内に分級処理を受ける原材料が溜められる。
【００５２】
原料給鉱ベルトコンベヤ４２の長さＬ１は、例えば１８ｍ（メートル）である。設備施設面（例えば、地面）から気流分級装置１のホッパ２３の上端までの体さＨ１は、例えば、５．６ｍ（メートル）である。
【００５３】
気流分級システム４１を構成する各機器が動作状態に設定されると、図２において、ホッパ４７から適量の原材料が原料給鉱ベルトコンベヤ４２へ供給され、そのベルトコンベヤ４２によって原材料が気流分級装置１のホッパ２３へ投入される。すると、図１を用いて説明した気流分級処理が実行されて、ケーシング３の下端の粗粉排出用開口４から製品としての粗粉、すなわち砕砂が取り出され、ベルトコンベヤ７上に回収される。
【００５４】
一方、ケーシング３の上端の微粉排出用開口６から微粉が取り出され、搬送管８によってサイクロン４３へ搬送される。微粉はサイクロン４３の下端開口から排出されてダストベルトコンベヤ４４上に回収される。回収された微粉は要求に応じて、例えばタンカルとして利用される。気流は、サイクロン４３から連結管４５を通してメインファン１６へ戻る。
【００５５】
（第２実施形態）
図８は、本発明に係る気流分級装置の他の実施形態及びその気流分級装置を用いた気流分級システムの側面構造を示している。図９はその気流分級装置及び気流分級システムの平面構造を示している。図１０はその気流分級システムのブロック図を示している。
【００５６】
この実施形態に係る気流分級システム６１に含まれる気流分級装置５１が図１及び図２に示した気流分級装置１と異なる点は、メインファン１６から送り出される気流の流れ方向に関して当該メインファン１６の下流側の位置、本実施形態ではさらに集塵機４６の下流側の位置、に熱風供給装置５２を設けたことである。これ以外の構成は気流分級装置１と同じであり、同じ構成要素は同じ符号を用いて示すことにしてそれらの説明は省略する。
【００５７】
熱風供給装置５２は、例えば、ヒータ等といった熱を発生する装置と、発生した熱を気流に乗せて流す装置とを有している。この熱風供給装置５２は気流搬送管１４内へ熱風、すなわち高温の気流を供給する。
【００５８】
供給された熱風は、メインファン１６から送り出された気流と共に環状の気流導入管１２を通ってケーシング３の内部へ導入され、図１において高温の旋回気流Ａとなってケーシング３の内部で上昇気流となる。ホッパ２３から供給され、回転軸１８の内部を通ってケーシング３の内部へ供給され、分散板２２で分散された原材料は、高温の旋回気流Ａに乗って流れる間に粗粉と微粉とに分級される。
【００５９】
本実施形態によれば、高温の旋回気流Ａによって原材料を乾燥させながら分級処理を実行できる。その結果、図１のケーシング３の上部の微粉排出用開口６から取り出される微粉の水分含有量を効率良く低減できる。このことは、水分含有量が低いことが要求される微粉を製品として出荷する必要がある場合、例えばタンカルのようにフィラー、すなわち充填物として使用される微粉を作製しようとする場合に非常に有利である。
【００６０】
（その他の実施形態）
以上、好ましい実施形態を挙げて本発明を説明したが、本発明はその実施形態に限定されるものでなく、請求の範囲に記載した発明の範囲内で種々に改変できる。例えば、原材料は石灰石に限られず、必要に応じて任意の鉱石を選択できる。また、図１において、ケーシング３の形状は図示のものに限られず、任意の形状とすることができる。また、回転軸１８を回転自在に支持するための構成は図示のような構造に限られない。
【実施例１】
【００６１】
次に、第１の実験例について説明する。実験条件は表１のテスト番号１〜４に示す通りである。表１は２段にわたって表示されている。表１における条件は次の通りである。
（１）テスト番号１〜４で示す４回の実験を行った。テスト番号５は、従来の気流分級装置を用いた比較例である。
【００６２】
（２）番号１〜４の各実験において、図１〜４に示した気流分級装置及び気流分級システム、すなわち熱風供給装置を用いない装置を使用した。
（３）番号１〜４の各実験において、原材料として、粒径２．５ｍｍ以下のドロマイトを適用した。
【００６３】
（４）表１の「処理・生産量（ｔ／ｈ）」における「フィード」は図１のホッパ２３へ供給した原材料の量を示し、「成品」は粗粉排出用開口４から排出された製品としての粗粉の量であり、「フィラー」は微粉排出用開口６から排出された微粉の量を示している。
（５）「分級機（ｒｐｍ）」は図１の回転軸１８の回転数である。
【００６４】
（６）「風量（ｍ３／ｍｉｎ）」は図２のメインファン１６によってケーシング３の内部へ送り込まれる気流の量を示している。
（７）「水分（％）」の「原石」は原材料に含まれる水分量を示し、「成品」は粗粉排出用開口４から排出された製品としての粗粉に含まれる水分量を示し、「フィラー」は微粉排出用開口６から排出された微粉に含まれる水分量を示している。
【００６５】
（８）「砕砂（ＦＭ値）」は粗粉排出用開口４から排出された製品としての粗粉についてのＦＭ値である。
（９）「−０．１５ｍｍ分量（％）」における「原石」は原材料中に含まれる粒径０．１５ｍｍ以下の微粉の存在量である。「成品」は粗粉排出用開口４から排出された製品としての粗粉に含まれる粒径０．１５ｍｍ以下の微粉の存在量である。「フィラー」は微粉排出用開口６から排出された微粉に含まれる粒径０．１５ｍｍ以下の微粉の存在量である。
【００６６】
（１０）「−０．０７５ｍｍ分量（％）」における「原石」は原材料中に含まれる粒径０．０７５ｍｍ以下の微粉の存在量である。「成品」は粗粉排出用開口４から排出された製品としての粗粉に含まれる粒径０．０７５ｍｍ以下の微粉の存在量である。「フィラー」は微粉排出用開口６から排出された微粉に含まれる粒径０．０７５ｍｍ以下の微粉の存在量である。
【００６７】
〔比較例１〕
次に、従来の他社気流分級装置を用いて分級実験を行った。条件は表１のテスト番号５に示す通りである。
［比較］
表１における実験例１（Ｎｏ．１〜４）と比較例１（Ｎｏ．５）とを比較すると、次のことが分かる。すなわち、成品歩留まりの項を見れば分かるように、本発明の気流分級装置を用いることにより歩留まりが大きく向上した。すなわち、分級効率が大きく向上した。
【００６８】
また、本発明の気流分級装置によれば、分級羽根等の回転速度を低く抑えることができるので、故障を抑えて安定した操業を行うことができる。
【００６９】
また、「−０．１５ｍｍ分量（％）」及び「−０．０７５ｍｍ分量（％）」の項の「フィラー」の欄を見れば分かるように、フィラーの中に含まれる微粉の量を多くすることができた。つまり、分級効率が向上したことが分かった。
【実施例２】
【００７０】
次に、第２の実験例について説明する。実験条件は表２のテスト番号１、２に示す通りである。表２は２段にわたって表示されている。表２における条件は次の通りである。
（１）テスト番号１、２で示す２回の実験を行った。番号１の実験は、図８〜１０で示す気流分級装置及び気流分級システムにおいて熱風供給装置５２を作動させないで室温条件下で分級を行ったものである。このときの室温は３０℃であった。番号２の実験は、図８〜１０で示す気流分級装置及び気流分級システムにおいて熱風乾燥装置５２を作動させた状態で分級を行ったものである。
【００７１】
（２）番号１、２の各実験において、原材料としてフィラー、すなわち粒径０．１５ｍｍ以下の微粉を適用した。
（３）表２の「処理・生産量（ｔ／ｈ）」における「フィード」は図１のホッパ２３へ供給した原材料の量を示し、「成品」は粗粉排出用開口４から排出された製品としての粗粉の量であり、「フィラー」は微粉排出用開口６から排出された微粉の量を示している。
【００７２】
（４）「分級機（ｒｐｍ）」は図１の回転軸１８の回転数である。
（５）「温度℃」における「分級機内」は分級機内の温度であり、「成品」は粗粉排出用開口４から排出された粗粉の温度であり、「フィラー」は微粉排出用開口６から排出された微粉の温度である。
【００７３】
（６）「風量（ｍ３／ｍｉｎ）」は図８のメインファン１６によってケーシング３の内部へ送り込まれる気流の量を示している。
（７）「水分（％）」の「原石」は原材料に含まれる水分量を示し、「成品」は粗粉排出用開口４から排出された製品としての粗粉に含まれる水分量を示し、「フィラー」は微粉排出用開口６から排出された微粉に含まれる水分量を示している。
【００７４】
実験の結果、次のことが分かった。すなわち、熱風供給装置５２を作動させること無く、ケーシング３の内部に常温の旋回気流を生じさせて気流分級を行った場合、テスト番号１の「水分（％）」の「フィラー」の欄に示すように、フィラー（すなわち微粉）に含まれる水分量は０．５９％であった。一方、熱風供給装置５２を作動させて、ケーシング３の内部に高温の旋回気流を生じさせて気流分級を行った場合、テスト番号２の「水分（％）」の「フィラー」の欄に示すように、フィラー（すなわち微粉）に含まれる水分量は０．１３％まで下がった。なお、このときのケーシング３内の温度は５０℃であった。そして、図１のケーシング３の下端の粗粉排出用開口４から取り出された粗粉の温度は４０℃であり、上端の微粉排出用開口６から取り出された微粉の温度は４１℃であった。
【００７５】
水分量が０．１３％であるフィラーは実用上問題なく使用可能なフィラーである。このように、ケーシング３内に高温の分級用旋回気流を形成するようにした本発明に係る気流分級装置を用いれば、製品としての砕砂（すなわち粗粉）を効率良く生成することができ、しかも水分含有量の低い乾燥状態にある微粉を同時に得ることができ、この微粉は例えばタンカルすなわちフィラーとして好適に用いることができるものである。こうして、製品としての砕砂及びフィラーを同時に作製することが可能になった。
【００７６】
表１
2010069393.tif 000003
2010069393.tif 000004
【００７７】
表２
2010069393.tif 000005
2010069393.tif 000006
【図面の簡単な説明】
【００７８】
【図１】本発明に係る気流分級装置の一実施形態を示す側面断面図である。
【図２】図１の気流分級装置を用いた気流分級システムの一実施形態を示す正面図である。
【図３】図２の気流分級システムの平面図である。
【図４】図２の気流分級システムのブロック図である。
【図５】図１の気流分級装置の主要部を示す平面断面図である。
【図６】図１の気流分級装置の他の主要部を示す平面図である。
【図７】図６の部材の側面断面図である。
【図８】本発明に係る気流分級装置の他の実施形態を含んでいる気流分級システムの側面断面図である。
【図９】図８の気流分級システムの平面図である。
【図１０】図８の気流分級システムのブロック図である。
【図１１】従来の気流分級装置の一例の側面断面図である。
【符号の説明】
【００７９】
１．気流分級装置、２．機台、３．ケーシング、４．粗粉排出用開口、５．天板、
６．微粉排出用開口、７．ベルトコンベヤ、８．微粉体搬送管、９．粉体回収部、
１１．開口、１２．気流導入管、１３．気流案内羽根、１４．気流搬送管、
１５．フィードコントローラ接続口、１６．メインファン、１７．ブラケット、
１８．回転軸、１９．軸受、２０ａ，２０ｂ．ダンパ、２１．リブ、２２．分散板、
２３．ホッパ、２４．電動モータ、２６．プーリ、２７．プーリ、２８．ベルト、
２９．分級羽根、３１ａ，３１ｂ．支持部材、３２．羽根部材、
４１．気流分級システム、４２．原料給鉱ベルトコンベヤ、４３．サイクロン、
４４．ダストベルトコンベヤ、４５．連結管、４６．集塵機、４７．原料ホッパ、
５１．気流分級装置、５２．熱風供給装置
【図１】
2010069393.tif 000007
【図２】
2010069393.tif 000008
【図３】
2010069393.tif 000009
【図４】
2010069393.tif 000010
【図５】
2010069393.tif 000011
【図６】
2010069393.tif 000012
【図７】
2010069393.tif 000013
【図８】
2010069393.tif 000014
【図９】
2010069393.tif 000015
【図１０】
2010069393.tif 000016
【図１１】
2010069393.tif 000017